(57)【要約】【課題】異なる頭のサイズおよび形に適応され得、さらにヘッドホンイヤピースの外周および外周領域に沿って、空間的に一定の適用圧力を提供するヘッドホンを提供すること。【解決手段】  本発明は、ヘッドバンドおよび電気音響変換器を囲む少なくとも１つのイヤピースを備えるヘッドホンに関し、イヤピースおよびヘッドホンは互いに対して移動可能である。イヤピースのユーザの頭の形への高い適応を得るために、イヤピース（３）は、全体として、フラットスプリング（５）を形成し、フラットスプリング（５）によって規定されるフラット内にて異なる方向を指す少なくとも３つのアームによってヘッドバンド（２）と接続される。【選択図】図１
2007116681.tif 000002
【特許請求の範囲】
【請求項１】
ヘッドバンドおよび電気音響変換器を囲む少なくとも１つのイヤピースを備えるヘッドホンであって、該イヤピースおよび該ヘッドホンは互いに対して移動可能であり、該ヘッドホンは、
該イヤピース（３）がフラットスプリングによって該ヘッドバンド（２）と接続され、該フラットスプリングは中間領域および外周領域を有し、該中間領域および該外周領域は、ヘッドホンイヤピースの外周領域に沿う圧力の空間的に一定な適用が提供されるように、異なる方向を指す少なくとも３つのアーム（８）によって互いに接続されていることを特徴とする、ヘッドホン。
【請求項２】
前記フラットスプリング（５）が前記電気音響変換器（４）に係合し、前記イヤピース（３）は後者に取り付けられることを特徴とする、請求項１に記載のヘッドホン。
【請求項３】
前記フラットスプリング（５）の前記外周領域が前記ヘッドバンド（２）と堅く接続される一方、前記イヤピース（３）は、該フラットスプリング（５）の中間領域において、必要に応じて前記変換器（４）の挿入を用いて、固定されることを特徴とする、請求項１または請求項２のいずれか一項に記載のヘッドホン。
【請求項４】
前記アーム（８）が、前記フラットスプリング（５）の前記中間領域から前記外周領域へのスパイラルパターンにおいて延びることを特徴とする、請求項１から請求項３のいずれか一項に記載のヘッドホン。
【請求項５】
前記フラットスプリング（５）が張力スプリングによって形成されていることを特徴とする、請求項１から請求項３のいずれか一項に記載のヘッドホン。
【請求項６】
前記フラットスプリング（５）の前記外周領域内に位置される前記アーム（８）の前記端が、外周リングへと結合し、それによって１つのピースを形成することを特徴とする、請求項１から請求項５のいずれか一項に記載のヘッドホン。
【請求項７】
前記フラットスプリング（５）の前記中心領域に向けられる前記アーム（８）の前記内端が内部リングへと結合し、それによって１つのピースを形成することを特徴とする、請求項１から請求項６のいずれか一項に記載のヘッドホン。
【請求項８】
前記フラットスプリング（５）が、少なくとも一部において、前記電気音響変換器（４）のための接触線を形成する、導電性材料から成る、請求項１から請求項７のいずれか一項に記載のヘッドホン。
【請求項９】
前記フラットスプリング（５）が少なくとも部分的に２つの部において設計され、前記２つの部分的スプリングが前記電気音響変換器（４）の接触のために２つの極を形成することを特徴とする、請求項８に記載のヘッドホン。
【請求項１０】
前記フラットスプリング（５）が、スプリング間に絶縁層（１０）が挿入され、互いの上に実質的に平行して構成される、少なくとも２つの部分的スプリング（９、９´）から成り、該部分的スプリング（９、９´）は前記電気音響変換器（４）の前記接触の前記２つの極を形成することを特徴とする、請求項８に記載のヘッドホン。
【発明の詳細な説明】
【技術分野】
【０００１】
本発明は、ヘッドバンドおよび電気音響変換器を囲む少なくとも１つのイヤピースを含むヘッドホンに関する。イヤピースおよびヘッドバンドは、互い関連して動かされ得るヘッドホンの一部である。
【背景技術】
【０００２】
ヘッドホンに関する一般的な問題は、ヘッドホンイヤピースが耳を、特に外部聴覚チャネルを、外部から来る干渉雑音をスクリーンアウトできるように周囲に対して優れた密封を用いて覆う必要があることである。耳の上（ｓｕｐｒａｕｒａｌ）および耳覆い（ｃｉｒｃｕｍａｕｒａｌ）ヘッドホンの両方に当てはまるこの必要性は、異なる頭の形およびサイズに関らず同時に満たされる必要がある。そのような適応可能なヘッドホンを生成できるようにするため、異なる解決策が技術分野において提案された。
【０００３】
特許文献１は、ヘッドバンドがアーチ形の外形に沿ってはめ込まれ得るヘッドホンを開示する。そのようなヘッドホンは、異なるヘッドサイズに適応され得るが、耳の領域における頭の形は考慮されない。
【０００４】
特許文献２は、ヘッドバンド領域における弾性バンドを用いて提供されるヘッドホンを開示し、これも頭のサイズに対する適応のみを可能にする解決策である。
【０００５】
異なるユーザの頭の形に対するイヤピースの配置および位置の適応に関係があるヘッドホンは、例えば、特許文献３から知られている。ここにおいて、ヘッドホンイヤピースは、ヨーク形のホルダの上にコードとしてクランプされ、取付点においてイヤピースの位置を傾斜させることによって、所定の頭の形に対する適応を可能にする弾性ゴムバンドに取り付けられる。弾性バンドはここにおいて、その端がホルダに取り付けられる。増加する脆性によるそのようなバンドの短いサービスライフ以外に、実質的な欠点がある。その欠点は、バンドの縦軸と実質的に平行である、その軸の周りのイヤピースの回転が、著しい力の発揮無しに可能であり、したがって戻る力（ｒｅｔｕｒｎ  ｆｏｒｃｅ）は、ユーザの耳においてほとんど生成されないことである。バンドの縦軸と垂直である軸の周りにヘッドホンイヤピースを傾けることは、逆に、より強い戻る力を生成する。この１つの次元サスペンションのため、耳を囲む領域におけるアプリケーション圧力は、非所に不均質な様式において移動される。更に、イヤピースがスイベリング（ｓｗｉｖｅｌｉｎｇ）によって適用される前に、イヤピースは、ヨーク形ホルダの方向においてプレスされ、結果としてバンドに張力が加えられ、適応のための必要な容量が失われる。この場合においても、結果として、イヤピースは、十分な密封を用いて耳に対して適用されない。
【０００６】
特許文献４は、イヤピースが、ヘッドバンドに対して、ヘッドバンドによって形成される平面に対して垂直である軸の周りにスイベルになり得、それによって、耳の傾斜した位置または頭の一番広い位置から顎に先細くなっているイヤピースの適用面に対して適応され得る、ヘッドホンを開示する。更に、着用者の快適を増やすことが目的であるスプリングが取り付けられている（ｓｐｒｉｎｇ−ｍｏｕｎｔｅｄ）要素が提供される。イヤピースは、ここにおいて、適用の動きの方向におけるスプリング活動要素の挿入を用いて、ヘッドバンドの端に取り付けられる。順方向において通常先細くになる、頭の形に対する適応のための対策がなされていない。
【０００７】
特許文献５は、ヘッドバンド端の各々において、弾性材料から成るサポートが提供されるヘッドホンを開示する。ヘッドホンは、アーチ形サポートの端の間にクランプされるゴムバンドに取り付けられる。上記の特許文献３のように、そのような構成は、耳の適用面において適用圧力さえ生成しない。
【０００８】
特許文献６は、イヤピースがヘッドバンドの端の領域に沿ってシフトされ得るヘッドホンを開示する。このシフティングは、スプリングの挿入によって得られる。したがって、イヤピースは、着用者快適を提供せず、異なる頭の形に対してさらに、低い適応性を提供する、１つの方向のみにおいてヘッドバンドに対して移動され得る。
【０００９】
特許文献７は、ヘッドバンド部分の端にそってシフトされ得るような様式において導かれる耳カプセルを有するヘッドホンを開示する。ヘッドバンドに対する耳カプセルのシフトを決定する弾性張力要素が提供される。前の特許においてのように、動きに対する可能性は、１次元においてのみ存在する。頭の３次元外形に対する適応は可能ではない。
【００１０】
特許文献８は、２つの端において、スプリングが取り付けられているヘッドバンドが、イヤピースがシフトすることを可能にする様式において構成されている真っ直ぐなセクションを示す、ヘッドホンを開示する。ヘッドバンドに対してイヤピースを移動するために提供される他の可能性はない。
【００１１】
特許文献９は、互いに対してスイベルされ得る結合（ａｒｔｉｃｕｌａｔｉｏｎ）の程度を決定し、適用圧力を生成する、ねじ込みスプリングが内部に提供される結合を用いるマルチパートヘッドバンドを提供する。着用者の快適および異なる頭の形に対する適応は、この構成によってかなり制限される。
【００１２】
特許文献１０は、ヘッドバンドへの各イヤピースの接続のために、コイルスプリングの軸が着用時に耳介に対して垂直である、コイルスプリングを有するヘッドセットを開示する。
【００１３】
特許文献１１は、イアカップが引き伸ばされたコイルスプリングを介してヘッドバンドに接続され、コイルスプリングの軸がヘッドバンドに対して垂直である、ヒアリング保護器を開示する。
【００１４】
特許文献１２は、弾性バンドのねじれ弾性の手段によって力が生成される、着用者の頭に対する調整可能なプレス力を有するヘッドホンを開示する。
【００１５】
最後に、現状の技術は、ヘッドバンドへのヘッドホンイヤピースの取付として、カルダン継手（ｃａｒｄａｎ  ｊｏｉｎｔ）も提供する。ここにおけるイヤピースは、頭の形への適応を可能にする、１つまたは２つの相互に傾いている軸の周りをスイベルされ得る。しかしながら、この解決策は、例えば、広いスペースの必要性および複雑な設計のような問題に関連する。妨害（ｊａｍｍｉｎｇ）は、絶えず生じる。例えば、所定の軸の周りの回転が所望される場合、イヤピースは、妨害による所望されない様式において、他の軸の周りを回転する。カーダニック（ｃａｒｄａｎｉｃ）サポートが、例として特許文献１３に開示される。
【００１６】
特許文献１４は、ヘッドバンド、および１より多い軸の周りをヘッドバンドに対してピボット可能になるように、各々がヘッドバンドに接続される２つのイヤピースを有するヘッドホンを開示する。そのようなヘッドホンは、ユーザの異なる頭の形に対するイヤピースの調製を可能にし、ヘッドホンをコンパクトサイズに折りたたむ可能性を提供する。
【００１７】
問題の一般的な対象物（ヘッドホン）に関連しない特許文献１５は、マイクロホンに関し、そのマイクロホンカプセルは、ホルダによってマイクロホンハウジングに接続される。機械的振動に対する感度を低くするために、ホルダは、弾性ゴム素材から成る曲げることができるアームから成る。この特許は、完全に異なった目的、すなわち外部干渉影響からのマイクロホンカプセルの解放に向けられ、異なる形における適応および均質圧力適用に全く関しない。更に、後の目的は、そのようなカプセル取付を使用して全く得られ得ない。
【００１８】
同様の原理に基づく他のデバイスも知られている。そのデバイスは、拡声器カバーと拡声器ボックスとして設計されているそのハウジングとの間における振動を解放する。ここにおいて、バーは、ラビリンス風パターンを形成し、ハウジングフロントを用いてをカバーを接続するリーフスプリングとして作用する、ハウジングの表面に提供される。初めから、目的は異なる形への適応ではなく、そのような適応はこの設計を使用して得られず、バイブレーションおよび振動を解放するためだけの目的が与えられる。そのような拡声器ボックスはしたがって、技術分野の点および意図された目的点の両方における問題の対象物に関連しない。
【特許文献１】オーストリア国特許第３７０２７５Ｂ号明細書
【特許文献２】オーストリア国特許第３３８３５０Ｂ号明細書
【特許文献３】オーストリア国特許第３６８８２３Ｂ号明細書
【特許文献４】オーストリア国特許第３２１３８８号明細書
【特許文献５】スイス国特許第１１２１０６号明細書
【特許文献６】英国特許第２３０４４８８号明細書
【特許文献７】ドイツ国特許出願公開第１９７１１７０８Ａ１号明細書
【特許文献８】オーストリア国特許第２１７１０５Ｂ号明細書
【特許文献９】オーストリア国特許第２９７１１１Ｂ号明細書
【特許文献１０】英国特許出願公開第１２２９０８６Ａ号明細書
【特許文献１１】米国特許出願公開第３，７９５，９１９Ａ号明細書
【特許文献１２】米国特許出願公開第２００３／０１６９８９８Ａ１号明細書
【特許文献１３】オーストリア国特許出願公開第３２２６５１Ａ号明細書
【特許文献１４】米国特許出願公開第２００４／０２１３４２８Ａ１号明細書
【特許文献１５】国際公開第ＷＯ９９／１４９８１Ａ１号パンフレット
【発明の開示】
【発明が解決しようとする課題】
【００１９】
したがって、一方において異なる頭のサイズおよび形に適応され得、もう一方においてヘッドホンイヤピースの外周および外周領域に沿って、言い換えると適用表面に沿って、空間的に一定の適用圧力を提供するヘッドホンの必要性がある。イヤピースの適切な取付は、長いサービスライフを有する必要があり、ヘッドホンの弱い箇所を構成するべきではない。空間保持設計とともに、シンプルおよびコスト有利な製造の必要条件が合わなければならない。
【課題を解決するための手段】
【００２０】
これらの目的は、概論に述べたヘッドホンの種類を用いて得られ、本発明に従うと、イヤピースがフラットスプリングによってヘッドバンドと接続され、フラットスプリングは中間領域および外周領域を有し、それによって、中間領域および外周領域は、ヘッドホンイヤピースの外周領域に沿う圧力の空間的に一定な適用（ｓｐａｔｉａｌｌｙ  ｃｏｎｓｔａｎｔ  ａｐｐｌｉｃａｔｉｏｎ  ｏｆ  ｐｒｅｓｓｕｒｅ）が提供されるように、異なる方向を指す少なくとも３つのアームによって互いに接続されるという事実による。
【００２１】
発明の分野において、表現フラットスプリングは、一般に、戻り力がロードの下におけるスプリング表面に対して垂直であり、実質的に作用するフラット構造を有するスプリング種類に関する。フラットスプリングによって組み立てられたフラットは、平面、アーチ、カーブのいずれかになり得る。フラットスプリングは特に、その性質が穿孔または凹所によってさらに影響される、平面またはアーチディスク、星またはスパイラル形を形成するために例えば、中心領域からまたは中心領域からパターン化が始まるバンド、スパイラルまたは層状スプリングのような平面（ｆｌａｔ）を組み立てるバンドスプリング、部分的スプリング要素の組み合わせ、更に、現状の技術においてプレートスプリングと呼ばれるスプリング、層状ディスクの断面において同軸である現行のラメラまたはコルゲーションを含む。フラットスプリングの外周またはアウトラインは、円形、卵形、楕円形、長方形、四角、多角形等のような任意の可能な外形を有し得る。フラットスプリングは、いくつかの部分的スプリング（ｐａｒｔｉａｌ  ｓｐｒｉｎｇ）がフラット構成における、単一のピースまたは複数のピースから成り得る。
【００２２】
本発明に従う処置（ｍｅａｓｕｒｅ）、すなわちフラットスプリングにおけるヘッドホンのイヤピースの取付によって、イヤピースは、頭上の配置および頭の形に対する適応のために要求される全ての自由度を有する。これら全ての自由度は、フラットスプリングの２次元固定によってスプリングロードされる。重要な利点は、耳の領域における不快および有痛な圧力箇所の生成を完全に防ぐ均質な適用圧力が得られることである。本発明に従う取付は、コスト有利および素早く取り付けられ得る。妨害、きしみまたは双方に隣接する成分はなく、取付のフラット構造形は、非常に空間保持できる。
【００２３】
イヤピースおよびヘッドバンドは、互いに対して移動可能である部分を表し、これらの移動可能な部分の１つは、フラットスプリングが外周領域と堅く接続される一方、もう一方の移動可能部分は、フラットスプリングの中間領域において固定される。ここにおいて、フラットスプリングの中心領域は、少なくとも３つのアームの内端によって範囲を定められ、外周領域はアームの外端によってクランプまたは規定される。中心領域から始まり、アームは、２次元サスペンションが得られるように異なる方向を指す。
【００２４】
アームのスパイラル形設計によって、それらの長さは増え、したがって、フラットスプリングの変形およびイヤピースの適応は増える。
【００２５】
特に好ましい実施形態においては、フラットスプリングは、電気音響変換器のための接触と同時に機能にする。いくつかの導体は、単一の部分として設計されるフラットスプリング、または部分的スプリングが接触極からの導電材料から成る、いくつかの部分から成るフラットスプリングのどちらかにおいて適用され得る。
【００２６】
本発明は、さらに以下の手段を提供する。
【００２７】
（項目１）  
ヘッドバンドおよび電気音響変換器を囲む少なくとも１つのイヤピースを備えるヘッドホンであって、該イヤピースおよび該ヘッドホンは互いに対して移動可能であり、該ヘッドホンは、
該イヤピース（３）がフラットスプリングによって該ヘッドバンド（２）と接続され、該フラットスプリングは中間領域および外周領域を有し、該中間領域および該外周領域は、ヘッドホンイヤピースの外周領域に沿う圧力の空間的に一定な適用が提供されるように、異なる方向を指す少なくとも３つのアーム（８）によって互いに接続されていることを特徴とする、ヘッドホン。
【００２８】
（項目２）
上記フラットスプリング（５）が上記電気音響変換器（４）に係合し、上記イヤピース（３）は後者に取り付けられることを特徴とする、項目１に記載のヘッドホン。
【００２９】
（項目３）
上記フラットスプリング（５）の上記外周領域が上記ヘッドバンド（２）と堅く接続される一方、上記イヤピース（３）は、該フラットスプリング（５）の中間領域において、必要に応じて上記変換器（４）の挿入を用いて、固定されることを特徴とする、項目１または項目２のいずれか一項に記載のヘッドホン。
【００３０】
（項目４）
上記アーム（８）が、上記フラットスプリング（５）の上記中間領域から上記外周領域へのスパイラルパターンにおいて延びることを特徴とする、項目１から項目３のいずれか一項に記載のヘッドホン。
【００３１】
（項目５）
上記フラットスプリング（５）が張力スプリングによって形成されていることを特徴とする、項目１から項目３のいずれか一項に記載のヘッドホン。
【００３２】
（項目６）
上記フラットスプリング（５）の上記外周領域内に位置される上記アーム（８）の上記端が、外周リングへと結合し、それによって１つのピースを形成することを特徴とする、項目１から項目５のいずれか一項に記載のヘッドホン。
【００３３】
（項目７）
上記フラットスプリング（５）の上記中心領域に向けられる上記アーム（８）の上記内端が内部リングへと結合し、それによって１つのピースを形成することを特徴とする、項目１から項目６のいずれか一項に記載のヘッドホン。
【００３４】
（項目８）
上記フラットスプリング（５）が、少なくとも一部において、上記電気音響変換器（４）のための接触線を形成する、導電性材料から成る、項目１から項目７のいずれか一項に記載のヘッドホン。
【００３５】
（項目９）
上記フラットスプリング（５）が少なくとも部分的に２つの部において設計され、上記２つの部分的スプリングが上記電気音響変換器（４）の接触のために２つの極を形成することを特徴とする、項目８に記載のヘッドホン。
【００３６】
（項目１０）
上記フラットスプリング（５）が、スプリング間に絶縁層（１０）が挿入され、互いの上に実質的に平行して構成される、少なくとも２つの部分的スプリング（９、９´）から成り、該部分的スプリング（９、９´）は上記電気音響変換器（４）の上記接触の上記２つの極を形成することを特徴とする、項目８に記載のヘッドホン。
【発明を実施するための最良の形態】
【００３７】
図１は、ヘッドバンド２、ヘッドホンイヤピース３およびイヤピースに組み入れられる電気音響変換器４を含む、本発明に従うヘッドホン１を示す。本発明に従い、ヘッドバンド２に対して移動可能なイヤピース３とヘッドバンド２自体との間における取付は、フラットスプリング５を含む。後者は、ヘッドバンド２において提供される皿型凹所６におけるその全体的な外周領域に沿って取り付けられる。示される実施形態の例において、フラットスプリング５は、イヤピース３に直接接続されておらず、その代わりに中間ピースとして、電気音響変換器４の手段によって接続される。しかしながら、イヤピースをフラットスプリングに直接取り付けることも自然に可能である。そのような実施形態は、図６に示される。ここにおいて、フラットスプリングがイヤピースの継続（ｃｏｎｔｉｎｕａｔｉｏｎ）として係合する一方、変換器はイヤピースの中に位置する。
【００３８】
図２は、詳細に発明を示し、イヤピースは、図の明瞭度を改良するために除外される。図２（左部）の示される実施形態において、フラットスプリングは円形の薄いディスクとして設計される。ここにおいて、３つの縦のスパイラル形アーム８を規定する凹所７が提供され、中心領域からフラットスプリング５の外周領域に延びる。フラットスプリングの中心領域は、変換器ハウジングの円柱継続が挿入および固定される、内部リングによって特徴付けられる。図３における他の実施形態の例に示されるように、３つ以上のアームを提供することも可能である。しかしながら、少なくとも３つのアーム８が、２次元における柔軟性を有するフラットスプリングの固定を得るために、要求される。
【００３９】
フラットスプリングは、好ましくは、イヤピースの適用表面と実質的に平行してオリエントされる。アーチフラットスプリングの場合、平面の外周またはその外周領域によってクランプされる平面が適用表面と実質的に平行することが好まれる。ここにおける適用表面は、ヘッドホン着用時に耳に対して適用されるイヤピースの外部表面に対応する。フラットスプリングが形成される、少なくとも３つのアーム８は、それぞれフラットスプリングのフラット内にて異なる方向を指し、それによって２次元固定が保証されるフラットを規定する。スパイラル形であり、中心領域から伸びるアーム８に対しては、この必要条件は、所定のアームの２つの端の間の接続線に適用する。内部リングと外周リングとにおけるアーム８の取付点は、好ましくは、互いから通常間隔において構成される。例えば、正三角形、四角、または一般に、正多角形のアペックスが、ヘッドホン着用時に、特に均質適用圧力に結果としてなるように、実質的に構成される。２次元サスペンションを保証するために、アーム８の取付点は、１つの点において同時に起こるべきではなく、むしろ互いからわずかに離されるべきである。
【００４０】
外周領域に沿って走るリングの設計は強制的ではなく、したがってアーム８の端も、ヘッドバンド２の凹所６に直接取り付けられ得る。本実施形態において、アーム８の所定の外部端によってクランプされる仮想外周領域は、フラットスプリングの外周の下に位置するように考慮されたい。内部リング設計も、電気音響変換器を受け取るために同時に機能するため、好ましい実施形態として考慮されたい。しかしながら、アームの内部端も、変換器またはイヤピースに直接取り付けられる。
【００４１】
示される実施形態の例とは対照的に、フラットスプリングの外周領域がイヤピースと、必要に応じて変換器の挿入と係合し、フラットスプリングの中間領域がヘッドバンドに、またはその目的のために提供され、ヘッドバンドと接続される凹所に固定されることも可能である。
【００４２】
フラットスプリングが構成される材料は、好ましくは、電気音響変換器との接触のためのコンダクタを適用することが可能である、弾性スチールシート、弾性プラスチック、スプリングブロンズまたは弾性ＦｌｅｘＰｒｉｎｔ材料を含む。しかしながら、フラットスプリング５を形成するアーム８は、張力スプリングとしての機能が、イヤピースにクランプすることであり、好ましくは互いに対して約１２０°の角度をスパニングすることである、しっかりとクランプされたゴムバンドまたはねじ込みスプリング（図７）も含み得る。
【００４３】
好ましい実施形態においては、フラットスプリングは、１つピースから成り、それは電気音響変換器４と接続されている。したがって、注入キャスティングによる変換器ハウジングの製造においては、本発明に従う取付は、変換器が注入キャスティングモールドにおいて取り付けられ、注入キャスティングの間、適切な変換器ハウジングを用いてスプレーすることによって囲まれる、変換器にフラットスプリングの領域を組み入れることによって、直接考慮に入れられ得る。結果として、一方では、フラットスプリングと変換器との間の安定および永続する接続が得られ、もう一方では、本発明に従う構成のアームが、スプリング材料が導電性である場合において、ヘッドホンケーブルに導かれる接続線として使用され得る。したがって、機械的ストレスに絶えずさらされるスイベリングケーブル接続と接続されるイヤピースとヘッドバンドとの間の相対運動に対する問題を除外する、接続変換器とヘッドバンドとの間における追加の接続ケーブルは要求されない。
【００４４】
二つの電極を生成するために、フラットスプリングは、互いから電気的に絶縁された二つの部分的スプリングから成る。図４に示されるように、拡声器のための凹所として役に立つ、その外周およびその内部リングにおけるフラットスプリングは、２つの箇所にて各場合おいてカットされる。追加の可能性は、マルチ層スプリングを使用して成る。マルチ層スプリングは、二つの導電性フラットスプリング９、９´から成り、互いの上に平行して構成され、好ましくは弾性的に変形可能な絶縁体１０によって離される。２つのフラットスプリングから成る全体的なシステムの減衰性質は、変形可能な絶縁体の機械的性質によって確立され得る。結果的に、戻る力は、イヤピースの重みに対して正確に適応され得る。スプリング絶縁体としての使用のための材料の例は特に、加硫によって適用される例えば、計量針、ゲル状の接着剤またはゴム材料を用いてその成分がスプリング表面に適用される、ＰＵ（ポリウレタン）フォームである。図５に示される後者の実施形態においては、マルチ層スプリングは、上側および下側において接触される。導電フラットスプリング９、９´は、したがって、変換器の電気的接触の一部であり、ヘッドホンケーブルを用いて変換器における入力を接続し、または無線ヘッドホンの場合においては、受信ユニットを用いる。接触は、スプリングにおけるはんだ付け箇所から始まるワイヤーラインを用いて、図５に概略的に示される。ゴム風材料から成るスプリングの場合、全ての可能なバリアントにおいて、ヘッドバンドから変換器へのサウンド信号の伝導が除外されるように、導電性アクセサリは提供され得る。変換器の接触はしたがって、フラットスプリングを介して生じる。
【００４５】
個別のアーム８は、互いから離れている個別の部分的スプリングとしても存在し得、フラット構成の結果として本発明に従うフラットスプリングを形成する。効果は、単一のピースから成るフラットスプリングを用いて得られるものと同等である。
【００４６】
ヘッドバンド自体の特別な設計は、発明に対して本質的である役割をしない。したがって、更に、フラットスプリングのための凹所は、例えば、異なる頭のサイズへの適応のために、縦にシフトされ得る様式においてのように、ヘッドバンドに構成され得る。更に、ヘッドホンは分野において知られ、ここにおいて、イヤピースは１つの耳だけのために提供され、ヘッドセット、すなわちマイクロホンも装備するヘッドホンに対してよくあるケースである。そのようなバリアントは、本発明の範囲内に入るように自然に考慮される。
【００４７】
フラットスプリングの外周領域をピースまたは変換器に取り付け、ヘッドバンドのために提供される凹所にフラットスプリングの中間領域を固定することも可能である。フラットスプリングの多数の実施形態、したがってヘッドホンイヤピースの形は、図３に示されるように可能である。
【００４８】
２次元サスペンションは、ヘッドバンドに対して必須である。外周領域が、例えば、リングのようにまたはそのように認識可能であるように設計される。したがって、アーム８の外部端は、外周リングに移行する代わりに、フラットスプリングのために凹所６に直接取り付けられ得る。
【００４９】
イヤピースをヘッドバンドに取り付けるための更なる可能性は、図８および図９において示される。ＧＢ  １  ２２９  ０８６  Ａから知られるように、図８は、外周領域から開始し、アームの端が変換器のためまたはイヤピースのために凹所にて開く、中心領域の周りをスパイラルパターンに走るアーム１１から成る、フラットスプリングを示す。このイヤピース取付においては、しかしながら、取付が多かれ少なかれ１次元であるため、均質適用圧力は保証されない。
【００５０】
図９は、好ましくは、変換器４が取り付けられる固定ゾーン１３が真ん中にあり、ヘッドバンド上に凹所を用いて堅く接続される、マージン上にビーズ１４があるゴム膜１２としてその全体的な表面の上に設計される、完面像（ｈｏｌｏｈｅｄｒａｌ）のフラットスプリングの手段による取付を示す。したがって、膜は、ヘッドバンド上の凹所を用いてその全体的な外周に沿って接続される。結果として、イヤピースの２次元固定も得られ、均質適用圧力を生成することを可能にする。長期間の通じて同等のままであるべきである、膜の増加する脆性のため、および要求される高膜張力のため、後者の構成は、イヤピースに対してあまり好まれない可能な取付を示す。
【００５１】
最後に、図１０および図１１は、イヤピース３の取付がフォーム（ｆｏａｍ）から成る、ヘッドホンを示す。イヤピース３また変換器４は、ここにおいて、フォームパッド１６に対して適用され、後者と接続されるプレート１５に固定される。示される実施形態の例において、フォームパッドは、ヘッドバンドに取り付けられる凹所１７を満たす。頭の形によって、フォームパッド１６の異なる領域は、変更する度に圧縮される。結果として、耳におけるイヤピースの均質適用圧力は、再度得られる。変換器４またはイヤピース３を、フォームベッドにおける中間プレート１５なしに、直接固定することも考えられる。通常、イヤピース３は、適応のための低い容量として既に結果が生じる、フォームからも成る。しかしながら、本実施形態の例においては、イヤピース自体の変形が生じる前においても、イヤピースが全体として傾けられ得ることが重要である。これは、フォームベッドがイヤピースのうしろ、すなわちイヤピースとヘッドバンドとの間に提供されるという事実によっても得られる。
【図面の簡単な説明】
【００５２】
【図１】本発明に従うヘッドホンを示す。
【図２】本発明に従うヘッドバンドへのイヤピースの取付を詳細および断面的に示す。
【図３】本発明に従う取付の異なる実施形態を示す。
【図４】２つのスプリング部から成る取付を示す。
【図５】いくつかの層から成るフラットスプリングの断面を示す。
【図６】本発明に従う、イヤピースがフラットスプリングに直接取り付けられるバリアントを示す。
【図７】本発明に従う、張力スプリングから成るフラットスプリング取付を示す。
【図８】スパイラル形アームから成るフラットスプリング取付を示す。
【図９】膜から成るフラットスプリング取付を示す。
【図１０】フォーム取付を示す。図８から図１０は、本発明を理解するために有用な構成を示す。
【図１１】フォーム取付を示す。
【符号の説明】
【００５３】
１  ヘッドホン
２  ヘッドバンド
３  イヤピース
４  電気音響変換器
５  フラットスプリング
８  アーム
９、９´  部分的スプリング
１０  絶縁層
【図１】
2007116681.tif 000003
【図２】
2007116681.tif 000004
【図３】
2007116681.tif 000005
【図４】
2007116681.tif 000006
【図５】
2007116681.tif 000007
【図６】
2007116681.tif 000008
【図７】
2007116681.tif 000009
【図８】
2007116681.tif 000010
【図９】
2007116681.tif 000011
【図１０】
2007116681.tif 000012
【図１１】
2007116681.tif 000013